(57)【要約】【課題】外壁、床部、天井部が形成された住宅空間内における所望の間仕切り位置への配設が容易であると共に、期間経過後において所望の間取りへの変更を簡易かつ安価に実現可能な間仕切り壁取付構造を提供する。【解決手段】間仕切り壁１１は、間仕切り位置の床部Ｙ上面に着脱可能に固定される床桟１２と、天井部Ｕ下面に床桟１２と対向して着脱可能に固定される天井桟１４と、所定の隙間を隔てて互いに対向する一対の壁面板２２ａ，２２ｂと、その長手方向一端側位置にて両壁面板間に挟持されて床桟に係合可能な下端連結棒２４と、両壁面板２２ａ，２２ｂ間の長手方向他端近傍位置にて両壁面板間に挟持されて他端側に天井桟１４に嵌合可能な嵌合凹部２７ａを形成する上端連結棒２７と、両壁面板間の幅方向両端にて挟持されて外側に嵌合溝３１ａを有する縦連結棒３１とを設けた壁部材２１ａ〜２１ｐとを設ける。【選択図】図４
2014051817.tif 000002
【特許請求の範囲】
【請求項１】
外壁、床部、天井部が形成された住宅空間内における所望の間仕切り位置に配設される間仕切り壁取付構造であって、
前記間仕切り位置の前記床部上面に着脱可能に固定される床桟と、
前記天井部下面に前記床桟と対向して着脱可能に固定される天井桟と、
所定の隙間を隔てて互いに対向する長尺薄板である一対の壁面板と、該両壁面板間の長手方向一端側位置にて幅方向に延びて該両壁面板間に挟持されて前記床桟に係合可能な下端連結棒と、前記両壁面板間の長手方向他端近傍位置にて幅方向に延びて該両壁面板間に挟持されて他端側に前記天井桟に嵌合可能な嵌合凹部を形成する上端連結棒と、前記両壁面板間の長手方向中間の少なくとも一か所にて該両壁面板間に挟持されてなる中間連結棒と、前記両壁面板間の幅方向両側にて長手方向に沿って延びて該両壁面板間に挟持されてなる一対の縦連結棒を設け、該縦連結棒の少なくとも一方の外面に長手方向に沿って内方に凹む嵌合溝が形成された壁部材とを設け、
該壁部材が前記床桟との係合個所にて固定具により固定され、前記天井桟と床桟に沿って複数の該壁部材が隣接配置されることを特徴とする間仕切り壁取付構造。
【請求項２】
前記一対の壁面板の外側面に化粧シートが貼り合わされていることを特徴とする請求項１に記載の間仕切り壁取付構造。
【請求項３】
前記一対の壁面板の内側面に遮音板材が貼り合わされていることを特徴とする請求項１又は２に記載の間仕切り壁取付構造。
【請求項４】
前記壁部材両外側面の前記床部及び天井部との境界領域に、幅方向に沿って長尺薄板状の被覆材が取り付けられていることを特徴とする請求項１から３のいずれか１項に記載の間仕切り壁取付構造。
【請求項５】
隣接する一対の前記壁部材の互いに対向する前記縦連結棒にはそれぞれ前記嵌合溝が配設されると共に、該両嵌合溝間に両壁部材を連結する連結材が嵌め合わされることを特徴とする請求項１から４のいずれか１項に記載の間仕切り壁取付構造。
【請求項６】
前記壁部材の幅方向一側部が他の該壁部材の前記壁面板に連結される箇所においては、該壁部材の前記縦連結棒と該他の壁部材の前記縦連結棒あるいは前記中間連結棒との重なり位置にて、該他の壁部材側からビス止めにより固定されることを特徴とする請求項１から５のいずれか１項に記載の間仕切り壁取付構造。
【請求項７】
前記壁部材の幅方向一側部が他の該壁部材の前記壁面板又は前記外壁に連結される箇所においては、前記他の壁部材あるいは前記外壁の連結される箇所の外面に上下に延びた連結凸材が固定されており、前記壁部材の前記縦連結棒に前記嵌合溝を設けて、該嵌合溝により前記連結凸材に嵌合固定されることを特徴とする請求項１から６のいずれか１項に記載の間仕切り壁取付構造。
【請求項８】
前記壁部材と前記外壁との間、又は該壁部材と他の壁部材との間に配設されたドア、片引き扉、引違い扉あるいは折戸が嵌め合わされる収容箇所においては、前記壁部材、前記外壁又は前記他の壁部材、及び前記天井部下面に沿って取り付けられ、前記ドア、片引き扉、引違い扉あるいは折戸を接触状態で囲む建具枠材を設けたことを特徴とする請求項１から７のいずれか１項に記載の間仕切り壁取付構造。
【請求項９】
前記収容個所に前記片引き扉、引違い扉あるいは折戸を設ける場合、該収容箇所における前記天井部側の前記建具枠材と該建具枠材に対向する床部上面側とに、該片引き扉、引違い扉あるいは折戸が横方向に移動可能に支持されるレールを設けたことを特徴とする請求項８記載の間仕切り壁取付構造。
【請求項１０】
前記ドア、片引き扉、引違い扉あるいは折戸の上縁と天井部下面との間に上部空間が残される箇所においては、該上部空間と同一高さ及び巾の一対の小壁面板と、該両小壁面板間の下端位置にて該両小壁面板間に挟持される下端連結棒と、該両小壁面板間の上端近傍位置にて該両小壁面板間に挟持されて上端側に嵌合凹部を形成する上端連結棒とを有する補充壁部材を設け、前記嵌合凹部により前記天井部下面に着脱可能に固定された前記天井桟に嵌合され、前記下端連結棒に前記建具枠材が固定されることを特徴とする請求項８又は９に記載の間仕切り壁取付構造。
【請求項１１】
外壁、床部、天井部が形成された住宅空間内における所望の間仕切り位置に間仕切り壁が着脱可能に取り付けられてなる間取り可変住宅であって、
前記間仕切り位置の床面に床桟が着脱可能に固定され、
該床桟と対向する天井面に天井桟が着脱可能に固定され、
所定の隙間を隔てて互いに対向する長尺薄板である一対の壁面板と、該両壁面板間の長手方向一端側位置にて幅方向に延びて該両壁面板間に挟持されて前記床桟に係合可能な下端連結棒と、該両壁面板間の長手方向他端近傍位置にて幅方向に延びて該両壁面板間に挟持されて他端側に前記天井桟に嵌合可能な嵌合凹部を形成する上端連結棒と、該両壁面板間の長手方向中間の少なくとも一か所にて該両壁面板間に挟持されてなる中間連結棒と、前記両壁面板間の幅方向両側にて長手方向に沿って延びて該両壁面板間に挟持されてなる一対の縦連結棒を設け、該縦連結棒の少なくとも一方の外面に長手方向に沿って内方に凹む嵌合溝が形成された壁部材が、前記上端連結棒の嵌合凹部にて前記天井桟に嵌合されると共に、前記下端連結棒により前記床桟に係合され、該壁部材が該床桟との係合個所にて固定具により固定され、
前記天井桟と床桟に沿って複数の壁部材が隣接配置され、前記壁部材と前記外壁との間又は該壁部材と他の壁部材との間に配設された収容個所に、ドア、片引き扉、引違い扉あるいは折戸が嵌め合わされる
ことを特徴とする間取り可変住宅。
【請求項１２】
前記一対の壁面板の外側面に化粧シートが貼り合わされていることを特徴とする請求項１１に記載の間取り可変住宅。
【請求項１３】
前記一対の壁面板の内側面に遮音板材が貼り合わされていることを特徴とする請求項１１又は１２に記載の間取り可変住宅。
【請求項１４】
前記壁部材両外側面の前記床部及び天井部との境界領域に、幅方向に沿って長尺薄板状の被覆材が取り付けられることを特徴とする請求項１１から１３のいずれか１項に記載の間取り可変住宅。
【請求項１５】
隣接する一対の前記壁部材の互いに対向する前記縦連結棒にはそれぞれ前記嵌合溝が配設されており、該嵌合溝間に両壁部材を連結する連結材が嵌め合わされていることを特徴とする請求項１１から１４のいずれか１項に記載の間取り可変住宅。
【請求項１６】
前記壁部材の幅方向一側部が他の該壁部材の前記壁面板に連結される箇所においては、前記壁部材の前記縦連結棒と該他の壁部材の前記縦連結棒あるいは前記中間連結棒との重なり位置にて、該他の該壁部材側からビス止めにより固定されることを特徴とする請求項１１から１５のいずれか１項に記載の間取り可変住宅。
【請求項１７】
前記壁部材の幅方向一側部が他の該壁部材の前記壁面板又は前記外壁に連結される箇所においては、前記壁部材の前記縦連結棒に前記嵌合溝を設け、前記他の壁部材あるいは前記外壁の連結される箇所の外側に前記嵌合溝に嵌合可能な連結凸材が固定されていることを特徴とする請求項１１から１６のいずれか１項に記載の間取り可変住宅。
【請求項１８】
前記ドア、片引き扉、引違い扉あるいは折戸の収容箇所においては、前記壁部材、前記外壁又は前記他の壁部材、及び天井面側に沿って取り付けられ、前記ドア、片引き扉、引違い扉あるいは折戸を接触状態で囲む棒状の建具枠材を設けたことを特徴とする請求項１１から１７のいずれか１項に記載の間取り可変住宅。
【請求項１９】
前記収容個所に前記片引き扉、引違い扉あるいは折戸を設ける場合、該収容箇所における前記天井部側の前記建具枠材と該建具枠材に対向する床部上面側とに、該片引き扉、引違い扉あるいは折戸が横方向に移動可能に支持されるレールを設けたことを特徴とする請求項１８に記載の間取り可変住宅。
【請求項２０】
前記ドア、片引き扉、引違い扉あるいは折戸の上縁と天井部下面との間に上部空間が残される箇所においては、該上部空間と同一高さ及び巾の一対の小壁面板と、該両小壁面板間の下端位置にて該両小壁面板間に挟持される下連結棒と、該両小壁面板間の長手方向他端近傍位置にて該両小壁面板間に挟持されて他端側に嵌合凹部を形成する上端連結棒とを有する補充壁部材を設け、前記嵌合凹部により前記天井部下面に着脱可能に固定された前記天井桟に嵌合され、前記下連結棒に前記建具枠材が固定されることを特徴とする請求項１８又は１９に記載の間取り可変住宅。
【発明の詳細な説明】
【技術分野】
【０００１】
本発明は、住宅用の間仕切り壁取付構造及びこれに用いた間取り可変住宅に関する。
【背景技術】
【０００２】
住宅の間取りに関しては、設計段階において居住者の家族構成や嗜好等の要望によって設計図面として決定される。この図面の間取りに沿って、建築段階で天井と床面間に間仕切り壁を固定させることにより間取りが行われている。このように、間仕切り壁が天井と床面間に固定されることにより、一旦建築が完了すると、以後の間取りの変更は、増改築作業となるため、多額の費用と長い作業期間が必要になる。しかし、居住期間が長くなることにより、同居する子供の数や年齢等の家族構成に変化が生じ、それに伴い望ましい間取りにも変化が生じる。従来の住宅ではこのような変化に対応して簡単にかつ安価に間取りを変更することが上記理由により困難であり、そのために住宅価値が低下することにもなっている。
【０００３】
これに対して、特許文献１には、住宅の間取りを自由に選択できると共に建築後の間取りの変更を簡易に行うことができる間仕切り壁について開示されている。この間仕切り壁の組み立てについては、廻り縁風型枠及び巾木風型枠の底面に、それぞれ厚さ約２ｃｍの復元力のある物質を敷きつめ、これら弾性ある型枠が、天井及び床面の所要位置に固定される。つぎに、予め用意された四角形枠状の組支柱をひし形に変形させて、まず、下縁部分を下部の巾木風型枠に差し込み、上縁部分が廻り縁風型枠に吻合するように、組支柱が矩形となる方向に押し込まれるかたたき込まれる。組支柱が矩形となれば、型枠中の弾性体は約半分の厚さに圧縮されて、しかも組支柱が隣接する既存の壁あるいは柱に密着する。このように圧縮された弾性体の復元力により、組支柱は廻り縁風型枠と巾木風型枠の間に挟まれて強固に固定される。その後、矩形となった組支柱に両面から化粧板を貼り合わせることにより、組支柱が菱形に復元することなく、堅固な間仕切り壁が得られる。さらに、この間仕切り壁については、建築時に行った間仕切りを、時間の経過後に取り外して、新たな間仕切りに簡単に変更することができるというものである。
【先行技術文献】
【特許文献】
【０００４】
【特許文献１】特開２００１−２４１１９３号公報
【０００５】
しかし、上記自由に変更できる間仕切り壁は、組支柱が菱形に変形可能であるため、取り扱いが煩雑であり、また廻り縁風型枠及び巾木風型枠への組支柱の取り付け作業も容易ではない。また、廻り縁風型枠及び巾木風型枠には組支柱を支持するための弾性体が設けられているが、弾性体が介在することによってかえって組支柱の上下方向の動きが生じ、壁構造が不安定になるおそれがある。さらに、組支柱の廻り縁風型枠及び巾木風型枠への組み付けの後に、組支柱両面に化粧板を貼り合せなければならないため、間仕切り作業に長時間を要することになり、作業コストが高価になるという問題がある。
【発明の概要】
【発明が解決しようとする課題】
【０００６】
本発明は、上記問題を解決しようとするもので、外壁、床部、天井部が形成された住宅空間内における所望の間仕切り位置への配設が容易であると共に、期間経過後において所望の間取りへの変更を簡易かつ安価に実現可能な間仕切り壁取付構造及びこれを用いた間取り可変住宅を提供することを目的とする。
【課題を解決するための手段】
【０００７】
上記目的を達成するために、本発明の構成上の特徴（請求項１の発明に相当）は、外壁、床部、天井部が形成された住宅空間内における所望の間仕切り位置に配設される間仕切り壁取付構造であって、間仕切り位置の床部上面に着脱可能に固定される床桟と、天井部下面に床桟と対向して着脱可能に固定される天井桟と、所定の隙間を隔てて互いに対向する長尺薄板である一対の壁面板と、両壁面板間の長手方向一端側位置にて幅方向に延びて両壁面板間に挟持されて床桟に係合可能な下端連結棒と、両壁面板間の長手方向他端近傍位置にて幅方向に延びて両壁面板間に挟持されて他端側に天井桟に嵌合可能な嵌合凹部を形成する上端連結棒と、両壁面板間の長手方向中間の少なくとも一か所にて両壁面板間に挟持されてなる中間連結棒と、両壁面板間の幅方向両側にて長手方向に沿って延びて両壁面板間に挟持されてなる一対の縦連結棒を設け、縦連結棒の少なくとも一方の外面に長手方向に沿って内方に凹む嵌合溝が形成された壁部材とを設け、壁部材が床桟との係合個所にて固定具により固定され、天井桟と床桟に沿って複数の壁部材が隣接配置されることにある。
【０００８】
上記のように構成した本発明においては、外壁、床部、天井部が形成された間仕切りの行われていない住宅空間内における所望の間仕切り位置の床面に床桟が着脱可能に固定され、床桟と対向する天井面に天井桟が着脱可能に固定される。この床桟と天井桟に、壁部材が上端連結棒に設けた嵌合凹部を天井桟に嵌合させ、下端連結棒を床桟に係合させ、係合個所にて固定具で固定させることにより、床桟と天井桟の間に横方向に連続して壁部材が配設され、所望位置に簡易に間仕切りが行われる。また、簡易な部材である床桟と天井桟と壁部材を複数用意してこれらを組み合わせることにより間仕切り壁構造が形成されるため、間仕切り壁構造が安価に提供される。
【０００９】
また、床桟、天井桟、壁部材の取り付けが着脱可能に行われているため、一旦組み立てられた間仕切り壁についても、これを比較的容易に取り外すことができ、組み立てにより床面と天井面にほとんど損傷を残すこともない。そのため、所望の間取りの住宅を建築した後、居住期間の経過により変化した間取り要求に対応して新たな構成の間取りに変更したいようなときにも、元の間仕切り壁を簡易に取り外すことができ、その後に新たな間取りに合わせた間仕切り位置に床桟、天井桟を取り付けこれに壁部材を取り付けることにより簡単かつ安価に新たな間取りを実現できる。
【００１０】
本発明において、一対の壁面板の外側面に化粧シートが貼り合わされていることが好ましい（請求項２の発明に相当）。このように、壁面板の外側面に予め化粧シートが貼り付けられていることにより、壁部材を天井桟と床桟に取り付けるのみで簡易にかつ短時間に間仕切り壁の形成が可能であり、従来の間仕切り壁取り付け作業におけるようにプラスタボード等の壁材の取り付け後にさらにクロスを貼りつけるような作業が不要になるため、作業が非常に簡単になり、作業コストの大幅な低減が可能になる。
【００１１】
本発明において、一対の壁面板の内側面に遮音板材が貼り合わされていることが好ましい（請求項３の発明に相当）。これにより、壁部材は一対の壁面板の内側面に貼り合わされた遮音板材により、隣接する部屋の音声を効果的に遮音することができる。
【００１２】
本発明において、壁部材両外側面の床部及び天井部との境界領域に、幅方向に沿って長尺薄板状の被覆材が取り付けられていてもよい（請求項４の発明に相当）。これにより、壁部材と床部及び天井部との境界の隙間が被覆材により確実に塞がれるため、これら隙間からの空気や音響の流入流出を簡易かつ確実に抑えることができると共に、間仕切り壁の美観を確保できる。
【００１３】
本発明において、隣接する一対の壁部材の互いに対向する縦連結棒にはそれぞれ嵌合溝が配設されると共に、両嵌合溝間に両壁部材を連結する連結材が嵌め合わされることが好ましい（請求項５の発明に相当）。これにより、隣接する一対の壁部材が、縦連結棒の嵌合溝に嵌め合わされた連結材により簡単にしかも強固に連結され、壁部材間の継ぎ目も小さくできることにより、壁部材間の美的外観が確保される。
【００１４】
本発明において、壁部材の幅方向一側部が他の壁部材の壁面板に連結される箇所においては、壁部材の縦連結棒と他の壁部材の縦連結棒あるいは中間連結棒との重なり位置にて、他の壁部材側からビス止めにより固定されてもよい（請求項６の発明に相当）。このように、互いに垂直に連結される壁部材同士が、縦連結棒と、中間連結棒あるいは他の縦連結棒の重なり合う強度の高い箇所でビス止めされることにより、両壁部材間の連結強度が高められ、間仕切り壁の信頼性が確保される。
【００１５】
本発明において、壁部材の幅方向一側部が他の壁部材の壁面板又は外壁に連結される箇所においては、他の壁部材あるいは外壁の連結される箇所の外面に上下に延びた連結凸材が固定されており、壁部材の縦連結棒に嵌合溝を設けて、嵌合溝により連結凸材に嵌合固定されてもよい（請求項７の発明に相当）。このように、壁部材一側部の縦連結棒に設けた嵌合溝を、他の壁部材あるいは外壁の外側に設けた連結凸材に嵌合させることにより、壁部材の取り付けを簡易にかつ強固に行うことができる。
【００１６】
本発明において、壁部材と外壁との間、又は壁部材と他の壁部材との間に配設されたドア、片引き扉、引違い扉あるいは折戸が嵌め合わされる収容箇所においては、壁部材、外壁又は他の壁部材、及び天井部下面に沿って取り付けられ、ドア、片引き扉、引違い扉あるいは折戸を接触状態で囲む棒状の建具枠材を設けることができる（請求項８の発明に相当）。このように、収容箇所において建具枠材が壁部材、外壁又は他の壁部材、及び天井部下面に沿って取り付けられていることにより、ドア、片引き扉、引違い扉あるいは折戸が収容個所に安定して配設される。
【００１７】
本発明において、収容個所に片引き扉、引違い扉あるいは折戸を設ける場合、収容箇所における天井部側の建具枠材と建具枠材に対向する床部上面側とに、片引き扉、引違い扉あるいは折戸が横方向に移動可能に支持されるレールを設けることができる（請求項９の発明に相当）。このように、片引き扉、引違い扉、折戸が、天井部側の建具枠材と床部に設けたレールにより横方向に移動可能に支持されるため、片引き扉、引違い扉、折戸の開閉がスムーズかつ確実に行われる。
【００１８】
本発明において、ドア、片引き扉、引違い扉あるいは折戸の上縁と天井部下面との間に上部空間が残される箇所においては、上部空間と同一高さ及び巾の一対の小壁面板と、両小壁面板間の下端位置にて両小壁面板間に挟持される下端連結棒と、両小壁面板間の上端近傍位置にて両小壁面板間に挟持されて上端側に嵌合凹部を形成する上端連結棒とを有する補充壁部材を設け、嵌合凹部により天井部下面に着脱可能に固定された天井桟に嵌合され、下端連結棒に建具枠材が固定されることが好ましい（請求項１０の発明に相当）。このように、床部と天井部間との寸法の違いにより、ドア、片引き扉、引違い扉あるいは折戸の上縁と天井部下面との間に残る上部空間には、上部空間の寸法に合わせた補充壁部材が他端の嵌合凹部にて天井部下面に着脱可能に固定された天井桟に嵌合され、下端連結棒に建具枠材が固定されることにより、ドア等が簡単に上部空間に取り付けられる。その結果、本発明においては、補充壁部材によって上部空間を、他の壁部材と違和感なく埋めることができ、壁部材のみの箇所の間にドア等が設けられる箇所が加えられた間仕切り壁構造の美観を確保でき、その商品価値が高められる。
【００１９】
また、本発明の他の特徴（請求項１１の発明に相当）は、外壁、床部、天井部が形成された住宅空間内における所望の間仕切り位置に間仕切り壁が着脱可能に取り付けられてなる間取り可変住宅であって、間仕切り位置の床面に床桟が着脱可能に固定され、床桟と対向する天井面に天井桟が着脱可能に固定され、所定の隙間を隔てて互いに対向する長尺薄板である一対の壁面板と、両壁面板間の長手方向一端側位置にて幅方向に延びて両壁面板間に挟持されて床桟に係合可能な下端連結棒と、両壁面板間の長手方向他端近傍位置にて幅方向に延びて両壁面板間に挟持されて他端側に天井桟に嵌合可能な嵌合凹部を形成する上端連結棒と、両壁面板間の長手方向中間の少なくとも一か所にて両壁面板間に挟持されてなる中間連結棒と、両壁面板間の幅方向両側にて長手方向に沿って延びて両壁面板間に挟持されてなる一対の縦連結棒を設け、縦連結棒の少なくとも一方の外面に長手方向に沿って内方に凹む嵌合溝が形成された壁部材が、上端連結棒の嵌合凹部にて天井桟に嵌合されると共に、下端連結棒により床桟に係合され、壁部材が床桟との係合個所にて固定具により固定され、天井桟と床桟に沿って複数の壁部材が隣接配置され、壁部材と外壁との間又は壁部材と他の壁部材との間に配設された収容個所に、ドア、片引き扉、引違い扉あるいは折戸が嵌め合わされることにある。
【００２０】
上記のように構成した本発明においては、外壁、床部、天井部が形成された間仕切りの行われていない住宅空間内における所望の間仕切り位置の床面に床桟を着脱可能に固定させ、床桟と対向する天井面に天井桟を着脱可能に固定させ、床桟と天井桟に壁部材を取り付けることにより、床桟と天井桟の間に壁部材が配設され、壁部材間の所定位置にドア、引違い扉等が取り付けられる。その結果、他の特徴においては、安価な部材により所望の間仕切り位置に簡易かつ安価に間仕切り壁構造を設けた間仕切り可能住宅を建築できる。また、本発明においては、同一の外壁、床部、天井部が形成された間仕切りの行われていない同一の間仕切り前住宅を企画し、間仕切り位置のみを居住者に選択させることにより、間仕切り前住宅の量産が可能になるため、その結果、トータルの住宅コストを大幅に低減することが可能になる。
【００２１】
また、他の特徴においては、床桟、天井桟、壁部材の取り付けが着脱可能に行われているため、一旦組み立てられた間仕切り壁についても、これを比較的容易に取り外すことができ、組み立てにより床面と天井面にほとんど損傷を残すこともない。そのため、所望の間取りの住宅を建築した後、期間の経過により変化した望ましい用途に対応するために間取りを変更したいようなときにも、間仕切り壁を簡易に取り外すことができ、新たな間取りに合わせた間仕切り位置に床桟、天井桟を取り付けこれに壁部材を取り付けることにより簡単かつ安価に新たな間取りを実現できる。
【００２２】
また、本発明の他の特徴において、一対の壁面板の外側面に化粧シートが貼り合わされていることが好ましい（請求項１２の発明に相当）。
【００２３】
また、本発明の他の特徴において、一対の壁面板の内側面に遮音板材が貼り合わされていることが好ましい（請求項１３の発明に相当）。
【００２４】
また、本発明の他の特徴において、壁部材両外側面の床部及び天井部との境界領域に、幅方向に沿って長尺薄板状の被覆材が取り付けられることが好ましい（請求項１４の発明に相当）。
【００２５】
また、本発明の他の特徴において、隣接する一対の壁部材の互いに対向する縦連結棒にはそれぞれ嵌合溝が配設されており、嵌合溝間に両壁部材を連結する連結材が嵌め合わされていてもよい（請求項１５の発明に相当）。
【００２６】
また、本発明の他の特徴において、壁部材の幅方向一側部が他の壁部材の壁面板に連結される箇所においては、壁部材の縦連結棒と他の壁部材の縦連結棒あるいは中間連結棒との重なり位置にて、他の壁部材側からビス止めにより固定されてもよい（請求項１６の発明に相当）。
【００２７】
また、本発明の他の特徴において、壁部材の幅方向一側部が他の壁部材の壁面板又は外壁に連結される箇所においては、壁部材の縦連結棒に嵌合溝を設け、他の壁部材あるいは外壁の連結される箇所の外側に嵌合溝に嵌合可能な連結凸材が固定されていてもよい（請求項１７の発明に相当）。
【００２８】
また、本発明の他の特徴において、ドア、片引き扉、引違い扉あるいは折戸の収容箇所においては、壁部材、外壁又は他の壁部材、及び天井面側に沿って取り付けられ、ドア、片引き扉、引違い扉あるいは折戸を接触状態で囲む棒状の建具枠材を設けることが好ましい（請求項１８の発明に相当）。
【００２９】
また、本発明の他の特徴において、収容個所に片引き扉、引違い扉あるいは折戸を設ける場合、収容箇所における天井部側の建具枠材と建具枠材に対向する床部上面側とに、片引き扉、引違い扉あるいは折戸が横方向に移動可能に支持されるレールを設けることができる（請求項１９の発明に相当）。
【００３０】
また、本発明の他の特徴において、ドア、片引き扉、引違い扉あるいは折戸の上縁と天井部下面との間に上部空間が残される箇所においては、上部空間と同一高さ及び巾の一対の小壁面板と、両小壁面板間の下端位置にて両小壁面板間に挟持される下連結棒と、両小壁面板間の長手方向他端近傍位置にて両小壁面板間に挟持されて他端側に嵌合凹部を形成する上端連結棒とを有する補充壁部材を設け、嵌合凹部により天井部下面に着脱可能に固定された天井桟に嵌合され、下連結棒に建具枠材が固定されることが好ましい（請求項２０の発明に相当）。
【発明の効果】
【００３１】
本発明においては、安価な部材により所望の間仕切り位置に簡易かつ安価に間仕切り壁構造を設けた間仕切り可能住宅を建築できる。また、本発明においては、同一の外壁、床部、天井部が形成された間仕切りの行われていない同一の間仕切り前住宅を企画し、間仕切り位置のみを居住者に選択させることにより、間仕切り前住宅の量産が可能になるため、トータルで住宅コストを大幅に低減することが可能になる。さらに、本発明においては、床桟、天井桟、壁部材等の取り付けが着脱可能に行われていることにより、一旦組み立てられた間仕切り壁についてもこれを容易に取り外すことができるため、期間の経過により変化した望ましい用途に対応するために間取りを変更したいようなときにも、間仕切り壁を取り外して新たな間取りに合わせた間仕切り位置に床桟、天井桟及び壁部材等を取り付けることにより、新たな間取りを従来の増改築作業に比べて格段に簡単にかつ短期間にしかも安価に実現でき、住宅の価値が一層高められる。
【図面の簡単な説明】
【００３２】
【図１】本発明の一実施例である間取り可変住宅の２階部分について天井側から見た配置図である。
【図２】同間取り可変住宅の２階部分の間仕切り前の状態について天井側から見た配置図である。
【図３】図１の間取り可変住宅についてＩＩＩ−ＩＩＩ線方向から見た間仕切り壁の取付構造を概略的に示す模式図である。
【図４】壁部材の床部と天井部への取付状態を示す幅方向中間位置での断面図である。
【図５】壁部材の外壁への連結部分を示す平面断面図である。
【図６】隣接する壁部材間の連結部分を示す平面断面図である。
【図７】互いに端部で直交する壁部材同士の連結部分を示す平面断面図である。
【図８】壁部材を示す背面図である。
【図９】壁部材の背面側の壁面板を除いた状態を示す背面図である。
【図１０】壁部材を示す側面図である。
【図１１】壁部材を示す図８のＸＩ−ＸＩ線方向の断面図である。
【図１２】壁部材の側面と壁部材の壁面板との連結部分を示す平面断面図である。
【図１３】壁部材の正面及び背面にそれぞれ壁部材の側面が連結される部分を示す平面断面図である。
【図１４】壁部材と外壁間にドア等を取り付ける場合にドア等と天井部との間の上部空間に配設される補充壁部材の取付状態を示す正面図である。
【図１５】同補充壁部材の取付状態を示す図１４のＸ−Ｘ線方向の断面図である。
【図１６】図１４のＹ−Ｙ線方向の断面図である。
【図１７】図１４のＺ−Ｚ線方向の断面図である。
【図１８】壁部材間へのドアの取付状態を示す高さ方向中間位置での断面図である。
【図１９】壁部材間へのドアの取付状態を示す横方向中間位置での断面図である。
【図２０】壁部材間への引違い扉の取付状態を示す高さ方向中間位置での断面図である。
【図２１】壁部材間への引違い扉の取付状態を示す横方向中間位置での断面図である。
【図２２】壁部材間への片引き扉の取付状態を示す高さ方向中間位置での断面図である。
【図２３】壁部材間への片引き扉の取付状態を示す横方向中間位置での断面図である。
【図２４】壁部材間への２枚折戸の取付状態を示す高さ方向中間位置での断面図である。
【図２５】壁部材間への２枚折戸の取付状態を示す横方向中間位置での断面図である。
【図２６】壁部材間への４枚折戸の取付状態を示す高さ方向中間位置での断面図である。
【発明を実施するための形態】
【００３３】
以下、本発明の実施形態について図面を用いて説明する。図１、図２は一実施例である間仕切り壁取付構造を採用した間取り可変住宅の２階部分、及び間仕切り前住宅の２階部分を天井側から見た配置図であり、図３は図１のＩＩＩ−ＩＩＩ線方向から見た模式図である。なお、図１，２の説明においては、便宜上図１，２の上下左右を北南西東に対応させるものとする。
【００３４】
間仕切り前住宅１０Ａは、図２に示すように、外壁Ｗとそれに続く躯体壁Ｗ５，Ｗ６、床部Ｙ及び屋根（図示しない）も含めた天井部Ｕ（図２には示さない）が完成された状態となっている。外壁Ｗは、真っ直ぐに東西に延びたな南壁Ｗ１と、南壁Ｗ１の両端で垂直に繋がった東壁Ｗ２及び、東壁Ｗ２より短い西壁Ｗ３と、東壁Ｗ２の北端と垂直に繋がって西方に延びた北東壁部Ｗ４１と、西壁Ｗ３の北端と垂直に繋がって東方に延びた北西壁部Ｗ４２と、北東壁部Ｗ４１と北西壁部Ｗ４２の内端間を垂直に繋ぐ北東壁部Ｗ４１と北西壁部Ｗ４２と共に北壁Ｗ４を形成する北中壁部Ｗ４３とにより構成されている。また、西壁Ｗ３と北西壁部Ｗ４２に囲まれた室内側には階段Ｓが配設されており、階段Ｓ個所を囲うための西壁Ｗ３から延びかつコの字状に曲げられた西躯体壁Ｗ５が設けられている。さらに、北西壁部Ｗ４２から室内側に延びた北躯体壁Ｗ６を設けており、北躯体壁Ｗ６と北東壁部Ｗ４１及び北中壁部Ｗ４３とで囲まれた小空間が形成されている。
【００３５】
この間仕切り前住宅１０Ａの２階部分は内部空間の間取りが行われていないのであり、居住者の希望により自由な間取りとすることが可能になっている。一例として、図２に示すように、二点鎖線である仕切り線Ｌ１〜Ｌ５で示す間仕切り位置で仕切ることにより、北東角側の約１／４を洋室Ｒ１とし、南側の約１／２を洋室Ｒ２とし、洋室Ｒ１と階段Ｓの間を廊下Ｃとし、階段Ｓと廊下Ｃと洋室Ｒ２に囲まれた間をバストイレ室ＢＡとし、北躯体壁Ｗ６と北東壁部Ｗ４１と北中壁部Ｗ４３とで囲まれた空間をクローゼットＣＬとする間取りが考えられる。仕切り線Ｌ１は、東壁Ｗ２の中間から西方に西躯体壁Ｗ５の東端まで伸び，仕切り線Ｌ２は西壁Ｗ３の中間から東方に西躯体壁Ｗ５の東端まで延び、仕切り線Ｌ３は西躯体壁Ｗ５の東端から仕切り線Ｌ２まで延び、仕切り線Ｌ４は、北躯体壁Ｗ６の東端から仕切り線Ｌ１まで延び、仕切り線Ｌ５は北躯体壁Ｗ６から北に延びたものである。このような仕切り線Ｌ１〜Ｌ５位置に間仕切り壁１１取付構造を適用することにより、図１に示す間取り可変住宅１０が実現する。
【００３６】
つぎに、間仕切り壁１１の取付構造について図４〜図７により説明する。
間仕切り壁１１の形成においては、図４に示すように、まず仕切り線Ｌ１〜Ｌ４位置において、床部Ｙ上面に床桟１２がビス１３により固定され、天井部Ｕ下面に床桟１２と対向して天井桟１４がビス１５により天井側梁Ｕ１に固定される。床桟１２は、後述する壁部材２１ａと同一幅の長尺の木製角材の一隅を直角に切り取った切欠き部１２ａを設けた断面くの字形状の部材であり、切欠き部１２ａを上に向けて床部Ｙ上面に載置される。天井桟１４は、壁部材２１ａの半分程度の幅の長尺の木製角材である。ただし、仕切り線Ｌ１の西側の後述するドア３３Ａ位置、仕切り線Ｌ２の東側半分の後述する引違い扉３４位置、仕切り線Ｌ４の北側の後述するドア３３Ｂ位置には、床桟１２ではない別部材が配設される。仕切り線Ｌ５位置には天井部Ｕ下面に天井桟１４が配置される。また、図５に示すように、東壁Ｗ２及び西壁Ｗ３の仕切り線Ｌ１，Ｌ２位置には、天井桟１４と同様の形状の連結凸材１６がビス１７により固定されている。
【００３７】
床桟１２と天井桟１４との間には、複数の壁部材２１ａ〜２１ｐが互いに隣接して配設される。仕切り線Ｌ１位置においては、東壁Ｗ２から東西に延びた６枚の壁部材２１ａ〜２１ｆが配設され、さらに西側にはドア３３Ａが配設される。仕切り線Ｌ２位置においては、西壁Ｗ３から東西に延びた２枚の壁部材２１ｇ，２１ｈと引違い扉３４が配設される。仕切り線Ｌ１，Ｌ２位置における南方向から見た壁部材２１ａ〜２１ｆ，２１ｇ，２１ｈ、ドア３３Ａ、引違い扉３４の配置状態が、図３により模式的に示される。仕切り線Ｌ３位置においては、西躯体壁Ｗ５から延びた４枚の壁部材２１ｉ〜２１ｌが配設される。仕切り壁Ｌ４位置においては、南から北に延びた４枚の壁部材２１ｍ〜２１ｐと北側のドア３３Ｂが配設される。仕切り線Ｌ５位置においては、折戸６５が配設される。以下、壁部材２１ａ〜２１ｐについて図８〜図１１により説明するが、各壁部材は同一構造なので符号２１ａで共通して説明する。
【００３８】
壁部材２１ａは、縦長長方形の厚材であり、所定の隙間を隔てて互いに対向する木製等の長尺薄板である一対の壁面板２２ａ，２２ｂを有する。一方の壁面板２２ａは他方の壁面板２２ｂより下辺側がわずかに長くなっており、本実施例では壁面板２２ａが壁部材２１ａの前面側であり、壁面板２２ｂが背面側となる。各壁面板２２ａ，２２ｂ外側面には、化粧面シートが全面に貼り合わされている。また、両壁面板２２ａ，２２ｂの内側面には薄板である遮音板材２３ａ，２３ｂが全面に貼り付けられている。壁部材２１ａの長手方向一端である下端側位置には、下端連結棒２４が幅方向両端間に延びて両壁面板２２ａ，２２ｂ間に挟まれて釘等により固定されている。下端連結棒２４は、それぞれ長尺の木製角材である下端側の係合部２５と上側の補強部２６とを一体で設けている。係合部２５は、木製角材の一隅を直角に切り取った切欠き部２５ａを設けた断面くの字形状の部材であり、切欠き部２５ａを下方背面側に向けて配設される。ここで、係合部２５は前面側の壁面板２２ａ下端と面一にされ、切欠き部２５ａの水平面は背面側の壁面板２２ｂの下端と面一に合わされている。
【００３９】
壁部材２１ａの長手方向他端である上端位置には、両壁面板２２ａ，２２ｂ内側面に上端を合わせて貼り合された幅方向両端間に延びた長尺板である一対の調節板２８が設けられ、両調節板２８間には幅方向両端間に延びた上端連結棒２７が挟持されている。上端連結棒２７は、両壁面板２２ａ，２２ｂ側から調節板２８を介して釘等により固定されている。上端連結棒２７は、両調節板２８上端より内側に配置されており、そのため、上端連結棒２７の外方は、両壁面板２２ａ，２２ｂ及び調節板２８の端部から内方に凹んだ嵌合凹部２７ａとなっている。壁部材２１ａの長手方向中間位置には、上記補強部２６と同一形状の角材である中間連結棒２９が幅方向両端近傍位置間に延びて両壁面板２２ａ，２２ｂ間に挟まれて釘等により固定されている。
【００４０】
両壁面板２２ａ，２２ｂ間の幅方向両端側には、上記下端連結棒２４と上端連結棒２７の間に延びた一対の縦連結棒３１が挟持されている。両縦連結棒３１は、補強部２６及び中間連結棒２９と同一形状の木製角材であり、両端が下端連結棒２４と上端連結棒２７に密接していると共に、中間連結棒２９の両端を挟んで配設されている。両縦連結棒３１は、図１０に示すように、外側の幅方向中間部分が切欠かれて四角形に凹んで長手方向両端間に延びた嵌合溝３１ａとなっている。壁部材２１ａは、両縦連結棒３１に嵌合溝３１ａを設けたＩ型と、一方の縦連結棒３１のみに嵌合溝３１ａを設け他方の縦連結棒３１は嵌合溝なしのＩＩ型の２種類になっており、それぞれ配置場所に応じて選択されるようになっている。本実施例においては、壁部材２１ａ〜２１ｅ，２１ｇ，２１ｉ〜２１ｋ，２１ｎ，２１ｏがＩ型であり、壁部材２１ｆ，２１ｈ，２１ｌ，２１ｍ，２１ｐがＩＩ型になっている。
【００４１】
仕切り線Ｌ１においては、壁部材２１ａは、図４に示すように、北側が正面になるように上端側の両壁面板２２ａ，２２ｂ及び調節板２８の端部から内方に凹んだ嵌合凹部２７ａにて天井部Ｕ下面に固定された天井桟１４に嵌合され、下端連結棒２４の係合部２５を床桟１２に重ね合わせて係合して載置される。さらに、図５に示すように、壁部材２１ａの一側部が、縦連結棒３１の嵌合溝３１ａにて、東壁Ｗ２の取り付け位置に固定された連結凸材１６に嵌め合わされ、東壁Ｗ２に連結される。この状態で、壁部材２１ａは、前側の壁面板２２ａから係合部２５を通して床桟１２にビス２５ｂにより着脱可能に固定される。これにより、壁部材２１ａが床桟１２と天井桟１４間に強固にしかも着脱可能に固定される。
【００４２】
つぎに、壁部材２１ａに隣接する壁部材２１ｂが、壁部材２１ａの側縁にほぼ密接した状態で床桟１２と天井桟１４間に強固に固定される。ここで、両壁部材２１ａ，２１ｂはＩ型であり、図６に示すように、接触する側縁においては縦連結棒３１に嵌合溝３１ａが設けられており、この両嵌合溝３１ａには両嵌合溝３１ａと略同一長さの長方形棒状の連結材１８が両嵌合溝３１ａを跨いで嵌め合わされて連結されている。同様に壁部材２１ｃ〜２１ｆの取り付けも行われる。壁部材２１ｆの西側はドア収容個所になっており、後述するドア３３Ａが取り付けられる。
【００４３】
仕切り線Ｌ４において、壁部材２１ｆ西端と北躯体壁Ｗ６との間には、壁部材２１ｍ〜２１ｐが上記壁部材２１ａ〜２１ｆの取り付けと同様に行われ、壁部材２１ｐの北側はドア収容個所になっており、後述するドア３３Ｂの取り付けが行われる。壁部材２１ｍは壁部材２１ｆの西端に直角をなして連結される。図７に示すように、壁部材２１ｆ，２１ｍは共にＩＩ型であり、縦連結棒３１には嵌合溝が設けられておらず、壁部材２１ｆ側から縦連結棒３１同士をビス３２で連結することにより両壁部材２１ｆ，２１ｍが連結される。
【００４４】
仕切り線Ｌ２においては、西壁Ｗ３から壁部材２１ｇ，２１ｈが上記壁部材２１ａ〜２１ｆの取り付けと同様に行われる。壁部材２１ｈの東側が引違い扉収容個所になっており、後述する引違い扉３４の取り付けが行われる。仕切り線Ｌ３においては、西躯体壁Ｗ５と引違い扉３４側部との間に、壁部材２１ｉ〜２１ｌが上記壁部材２１ａ〜２１ｆの取り付けと同様に取り付けられている。
【００４５】
なお、上記仕切り線Ｌ１〜Ｌ５においては現れないが、一方の壁部材２１ｒの幅方向一側部が他の壁部材２１ｓの壁面板２２ａに連結される箇所においては、図１２に示すように、壁部材２１ｒの縦連結棒３１と他の壁部材２１ｓの中間連結棒２９との重なり位置にて、他の壁部材２１ｓ側からビス３２により固定させることが可能である。また、壁部材２１ｔの両壁面板２２ａ，２２ｂ側あるいは一方の壁面板に他の壁部材２１ｕ，２１ｖの端部が連結される箇所においては、図１３に示すような連結も可能である。壁部材２１ｔの連結される箇所の外面に上下に延びた連結凸材１６がビス１７により固定され、他の壁部材２１ｕ，２１ｖの縦連結棒３１にはそれぞれ嵌合溝３１ａが設けられ、各嵌合溝３１ａを連結凸材１６に嵌合させることにより、他の壁部材２１ｕ，２１ｖが壁部材２１ｔの両壁面板２２ａ，２２ｂに連結固定される。
【００４６】
ドア３３Ａ，３３Ｂについては、通常はその高さが床部Ｙと天井部Ｕ間の距離より短くなっているため、図３に示すように、ドア３３Ｂの上部空間に補充壁部材３５が嵌め合わされて配置される。補充壁部材３５は、図１４〜図１６に示すように、壁部材２１ａと略同様の構造の横長長方形の厚材であり、所定の隙間を隔てて互いに対向する同一形状の薄板である一対の小壁面板３６を有する。各小壁面板３６の外側面には、化粧シートが全面に貼り合わされている。両小壁面板３６の内側面には、薄板である遮音板材３７が全面に貼り付けられている。補充壁部材３５の上下方向一端である下端側位置には、木製角材である下端連結棒３８が幅方向両端間に延びて両小壁面板３６間に挟持されている。補充壁部材３５の上下方向他端である上端側位置には、両小壁面板３６内面に貼り付けられた幅方向両端間に延びた一対の調節板４１を有し、両調節板４１間には幅方向両端間に延びた木製角材である上端連結棒３９が挟持されている。
【００４７】
上端連結棒３９は、両調節板４１上端より内側に配置されている。そのため、上端連結棒３９の外方は、両小壁面板３６及び調節板４１の端部から内方に凹んだ嵌合凹部３９ａとなっている。両小壁面板３６間の幅方向両端側には、上記下端連結棒３８と上端連結棒３９の間に延びた一対の縦連結棒４３が挟持されている。両縦連結棒４３は、下端連結棒３８と上端連結棒３９と同一形状の角材であり、両端が下端連結棒３８と上端連結棒３９に密接して配設されている。両縦連結棒４３は、図１６に示すように、外側の幅方向中間部分が切欠かれて四角形に凹んで上下方向両端間に延びた嵌合溝４３ａとなっている。
【００４８】
補充壁部材３５は、図１５，図１６に示すように、両小壁面板３６及び調節板４１の端部から内方に凹んだ嵌合凹部３９ａにて天井部Ｕ下面に固定された天井桟１４に嵌合され、さらに下端連結棒３８には、プラスチック製等のコ字状の棒材である建具枠材４５が上枠部４６にてビス４９により固定されている。また、北躯体壁Ｗ６と壁部材２１ｐ端部にはそれぞれ連結凸材１６がビス１７により固定されており、補充壁部材３５は、両嵌合溝４３ａを連結凸材１６に嵌め合わせることにより、北躯体壁Ｗ６と壁部材２１ｐ間に固定される。
【００４９】
建具枠材４５は、３本の部材である上枠部４６と左枠部４７と右枠部４８をコ字状に組み合わせたものである。上枠部４６、左枠部及び右枠部４８は、棒状で同一断面形状であり、幅方向の一端にて厚さ方向一方にわずかに突出した凸部４６ａ，４７ａ，４８ａを有する断面くの字状になっている。建具枠材４５は、上枠部４６の両端に左枠部４７と右枠部４８の端部を、凸部４６ａ，４７ａ，４８ａを合わせて互いに直角になるよう重ね合わせて釘で止めることにより一体に形成される。図１７に示すように、北躯体壁Ｗ６と壁部材２１ｐには建具枠材４５の左枠部４７と右枠部４８が配設され、ビス４９によって固定されている。なお、北躯体壁Ｗ６と左枠部４７の間には寸法調整用の調整板５１ａが挿入されており、左枠部４７と調整板５１ａの外側面には、化粧桟５１ｂが貼り合わされている。ドア３３Ｂが、建具枠材４５の左枠部４７前面側において蝶番５２により連結されて、建具枠材４５に囲まれた出入り口を開閉可能に配設される。ドア３３Ａについても、図１８，図１９に示すように、壁部材２１ｆ，２１ｊ間に同様に取り付けられる。
【００５０】
また、壁部材２１ｈの東側に隣接して引違い扉３４が設けられる。図２０，図２１に示すように、引違い扉３４の上部空間には補充壁部材３５が設けられており、補充壁部材３５と両壁部材２１ｈ，２１ｌにはプラスチック製等の３本の部材である上枠部５４と左枠部５５と右枠部５６をコ字状に組み合わせた建具枠材５３がビス４９により固定されている。上枠部５４の下面には、引違い扉３４が取り付けられる長手方向両端間に延びた２本の凹みである鴨居レール５４ａが形成されている。左枠部５５及び右枠部５６も、上枠部５４と同一幅の棒材であり、互いに対向する内側面において互いに対称な幅方向中間から端部間がわずかに凹んだ凹部５５ａ，５６ａとなっており、凹部５５ａ，５６ａにおいてビス４９により壁部材２１ｈ、２１ｌの端部に固定されている。床部Ｙには、引違い扉３４が取り付けられるレール材５７が取り付けられている。これにより、引違い扉３４が、鴨居レール５４ａとレール材５７に移動可能に支持されて、建具枠材５３に囲まれた開口を開閉可能にしている。
【００５１】
なお、図１に示す間取り可変住宅１０には設けられていないが、片引き扉３４Ａについても、図２２，図２３に示すように、両方の壁部材２１ｗ，２１ｘ間等において補充壁部材３５と建具枠材５８を用いて取り付けることができる。建具枠材５８は、プラスチック製あるいは木製の３本の棒状の部材である上枠部５９と左枠部６１と右枠部６２をコ字状に組み合わせたものである。上枠部５９の下面には、幅方向の一方側に片引き扉３４Ａが取り付けられる長手方向両端間に延びた１本の凹みである鴨居レール５９ａが形成されており、鴨居レール５９ａの設けられていない側にてビス４９により補充壁部材３５に固定されている。上枠部５９の鴨居レール５９ａ部分は、壁部材２１ｗ，２１ｘの側方に隣接して配置され、壁部材２１ｗ，２１ｘ間の２倍強の長さに延びている。
【００５２】
右枠部６２も、上枠部５９と同一幅の棒材であり、鴨居レール５９ａに対向する側がわずかにへこんだ内側面において互いに対称な幅方向中間から端部間がわずかに凹んだ凹部６２ａとなっており、凹部６２ａの設けられていない側においてビス４９により壁部材２１ｌの端部に固定されている。左枠部６１は、上枠部５９の半分の幅の棒材であり、ビス４９により壁部材２１ｗの端部に固定されている。床部Ｙの鴨居レール５９ａの対向位置には、片引き扉３４Ａが取り付けられるレール材６３が取り付けられている。また、鴨居レール５９ａ及びレール材６３の他端側には、両者間を連結するに枠部材６４が壁部材２１ｈの壁板部２２ａに固定される。これにより、片引き扉３４Ａが、鴨居レール５９ａとレール材６３に移動可能に支持されて、建具枠材５８に囲まれた開口を開閉可能にしている。
【００５３】
また、仕切り線Ｌ５位置には北東壁部Ｗ４１，北躯体壁Ｗ６間に２連の折戸６５が配設されている。折戸６５の上部空間には補充壁部材３５が設けられており、図２４，図２５に示すように、北東壁部Ｗ４１，北躯体壁Ｗ６と補充壁部材３５には建具枠材６６がビス４９により固定されている。建具枠材６６は、プラスチック製あるいは木製の３本の棒状の部材である上枠部６７と左枠部６８と右枠部６９をコ字状に組み合わせたものである。上枠部６７は、幅方向中間位置長さ方向に延びた取付溝６７ａを有している。左枠部６８及び右枠部６９は、幅方向の一端側にて厚さ方向一方に突出した凸部６８ａ，６９ａを有する断面くの字状になっている。建具枠材６６は、上枠部６７の両端に左枠部６８と右枠部６９の端部を凸部６８ａ，６９ａを合わせて互いに直角になるよう重ね合わせて釘で止めることにより一体に形成される。上枠部６７の取付溝６７ａと床部Ｙには、折戸６５が移動可能に係止されるレール７１，７２が取り付けられて。これにより、折戸６５が、開口部に開閉可能に取り付けられる。なお、図２６には、壁部材２１間に設けられた４連の折戸６５Ａが示されており、広い開口箇所にはこれが好適に使用される。
【００５４】
以上のように、ドア３３Ａ，３３Ｂ、引違い扉３４、あるいは折戸６５の上縁と天井部Ｕ下面との間に上部空間が残される箇所には、上部空間の寸法に合わせた補充壁部材３５が他端の嵌合溝３９ａを天井部Ｕ下面に着脱可能に固定される天井桟１４に嵌合され、下端連結棒３８に建具枠材４５，５３，５８，６６が固定されることにより、簡単に上部空間に取り付けられる。その結果、ドア３３Ａ，３３Ｂ等と天井部Ｕ仮面との間の上部空間が、補充壁部材３５によって壁部材２１ａ〜２１ｐと違和感なく埋め合わされる。
【００５５】
床桟１２と天上桟１４に壁部材２１が嵌め合され、ドア３３Ａ，３３Ｂ、引違い扉３４、片引き扉３４Ａ、あるいは折戸６５等が取り付けられた後、各壁部材２１ａ〜２１ｐ両面において床桟１２との境界領域には、被覆材である長尺リボン状の下被覆材７４が釘等により固定される。また、壁部材２１ａ〜２１ｐと補充壁部材３５の両面において天井桟１４との境界領域には、被覆材である長尺リボン状の上被覆材７５が釘等により固定される。これにより、間仕切り前住宅１０Ａの仕切り線Ｌ１〜Ｌ５位置に間仕切り壁１１が取り付けられ、間仕切り住宅１０が完成する。
【００５６】
また、ドア３３Ａ，３３Ｂ等を外した後の間仕切り壁１１の取り外しについては、まず下被覆材７４と上被覆材７５を取り外し、壁部材２１ａ〜２１ｐの床桟１２への固定をビス２５ｂを取り外すことにより解除し、下連結棒２４側を床桟１２から取り外すと共に、上連結棒２７側を天井桟１４から取り外すことにより、壁部材２１ａ〜２１ｐが簡単に取り外される。さらに、床桟１２の床部Ｙへの固定が、ビス１３を取り外すことにより簡単に取り外され、天井桟１４の天井部Ｕへの固定も、ビス１５を取り外すことにより簡単に取り外される。また、東壁Ｗ２及び西壁Ｗ３に固定された連結凸材１６についても、ビス１７を取り外すことにより同様に簡単に取り外される。このように、間仕切り壁１１の各部がビス１３，１５，１７のみで固定されているため、間仕切り壁１１の取り外し後も、床部Ｙ、天井部Ｕに損傷がほとんど残されることがない。そのため、取り外し個所をそのままにして、内部空間の別の箇所に新たな間仕切りを行うことが可能になる。
【００５７】
上記のように構成した実施例においては、外壁Ｗ、床部Ｙ、天井部Ｕが形成された間仕切りの行われていない住宅１０Ａの空間内における所望の間仕切り位置の床部Ｙに床桟１２が着脱可能に固定され、床桟１２と対向する天井部Ｕ下面に天井桟１４が着脱可能に固定される。この床桟１２と天井桟１４に、壁部材２１ａ〜２１ｐが上端連結棒２７側の嵌合凹部２７ａを天井桟１４に嵌合させ、下端連結棒２４を床桟１２に係合させ、係合個所でビス２５ｂで固定させることにより、間仕切り壁１１が形成される。床桟１２と天井桟１４の間に横方向に連続して壁部材２１ａ〜２１ｐが配設され、さらに壁部材２１ａ〜２１ｐ間や外壁Ｗと壁部材間にドア３３Ａ，３３Ｂ、引違い扉３４、折戸６５が配設されることにより、所望の間仕切り壁１１の取付構造が簡易に提供される。また、本実施例においては、簡易な部材である床桟１２と天井桟１４と壁部材２１ａ〜２１ｐを複数用意してこれらを組み合わせ、さらに上記所定位置にドア３３Ａ，３３Ｂ、引違い扉３４、片引き扉３４Ａ、あるいは折戸６５等を配設することにより間仕切り壁１１の取付構造が形成されるため、間仕切り壁１１の取付構造が簡易な作業で迅速に提供される。
【００５８】
また、本実施例においては、間仕切り壁１１を形成する床桟１２、天井桟１４、壁部材２１ａ〜２１ｐ、補強壁部材３５等が安価な部材であるため、これらを組み合わせて得られる間仕切り壁１１が安価に提供される。さらに、本実施例においては、同一の外壁Ｗ、床部Ｙ、天井部Ｕが形成された間仕切りの行われていない同一の間仕切り前住宅１０Ａを企画し、間仕切り位置のみを居住者の好みに応じて自由に選択させることができることにより、間仕切り前住宅１０Ａの量産が可能になるため、相対的に間取り可変住宅１０の価格を大幅に低減することが可能になる。
【００５９】
また、床桟１２、天井桟１４、壁部材２１ａ〜２１ｐの取り付けが着脱可能に行われているため、一旦組み立てられた間仕切り壁１１についても、これを比較的容易に取り外すことができ、組み立てにより床部Ｙと天井部Ｕにほとんど損傷を残すこともない。そのため、本実施例においては、所望の間取りの住宅１０を建築した後、居住期間の経過により変化した居住者の間取りの要求に対応して新たな構成の間取りに変更したいようなときにも、元の間仕切り壁を簡易に取り外すことができ、新たな間取りに合わせた間仕切り位置に床桟１２、天井桟１４を取り付けこれに壁部材２１ａ等を取り付けて新たな間取りを容易に実現することが可能である。その結果、本実施例においては、居住者の希望に応じた新たな間取りを従来の増改築作業に比べて格段に簡単にかつ短期間に安価に実現できるため、住宅の価値が一層高められる。
【００６０】
また、本実施例においては、一対の壁面板２２ａ，２２ｂの外側面に予め化粧シートが貼り付けられていることにより、壁部材２１を天井桟１４と床桟１２に取り付けるのみで簡易にかつ短時間に間仕切り壁の形成が可能であり、従来の間仕切り壁取り付け作業におけるようにプラスタボード等の壁材の取り付け後にさらにクロスを貼りつけるような作業が不要になるため、作業が非常に簡単になり、作業コストの大幅な低減が可能になる。また、本実施例においては、一対の壁面板２２ａ，２２ｂの内側面に遮音板材２３ａ，２３ｂが貼り合わされていることにより、壁部材２１は遮音板材２３ａ，２３ｂにより、隣接する部屋の音声を効果的に遮音することができる。
【００６１】
本実施例においては、壁部材２１ａ〜２１ｐの両壁面板２２ａ，２２ｂにおける床桟１２及び天井桟１４との境界から近傍の範囲である境界領域にて、幅方向に長尺薄板状の下及び上被覆材７４，７５が取り付けられている。これにより、実施例においては、壁部材２１ａ〜２１ｐと床部Ｙ及び天井部Ｕとの境界の隙間が下及び上被覆材７４，７５により確実に塞がれるため、これら隙間からの空気や音響の流入流出が簡易かつ確実に抑られると共に、間仕切り壁１１の美観が確保される。
【００６２】
また、本実施例においては、図６に示すように、隣接する一対の壁部材２１が、縦連結棒３１の嵌合溝３１ａに嵌め合わされた連結材１８により簡単にしかも強固に連結されることにより、連結部分の強度が確保されると共に、壁部材２１間の継ぎ目も小さくできることにより、壁部材２１間の美的外観が確保される。
【００６３】
本実施例においては、図７，図１２に示すように、壁部材２１ｍ，２１ｒの幅方向一側部が他の壁部材２１ｆ、２１ｓの壁面板２２ａに連結される箇所においては、壁部材２１ｍ，２１ｒの縦連結棒３１と他の壁部材２１ｆ，２１ｓの縦連結棒３１あるいは中間連結棒２９との重なり合う強度の高い箇所でビス３２止めされることにより、両壁部材間の連結強度が高められ、間仕切り壁の信頼性が確保される。
【００６４】
本実施例においては、図５，図１３に示すように、壁部材２１ａ，２１ｕ，２１ｖの幅方向一側部が他の壁部材２１ｔの壁面板２２ａ，２２ｂ又は外壁Ｗ２に連結される箇所においては、他の壁部材２１ｔあるいは外壁Ｗ２の連結される箇所の外面に上下に延びた連結凸材１６がビス１７により固定されており、壁部材２１ａ，２１ｕ，２１ｖの縦連結棒３１に嵌合溝３１ａを設けて、嵌合溝３１ａにより連結凸材１６に嵌合固定されることにより、壁部材の取り付けを簡易にかつ強固に行うことができる。
【００６５】
なお、上記実施例においては、間仕切り壁取付構造を住宅の２階部分に採用した例を示しているが、併せて１階部分にも採用することも可能である。また、上記実施例においては、間仕切り壁取付構造を採用した間取り可変住宅について説明しているが、通常の住宅にこの間仕切り壁取付構造を採用することも可能である。その他、上記実施例に示したものは一例であり、本発明の趣旨を逸脱しない範囲で種々変更して実施することも可能である。
【符号の説明】
【００６６】
１０…間取り可変住宅、１０Ａ…間仕切り前住宅、１１…間仕切り壁、１２…床桟、１４…天井桟、１６…連結凸材、１８…連結材、２１ａ〜２１ｐ…壁部材、２２ａ，２２ｂ…壁面板，２３ａ，２３ｂ…遮音板材、２４…下端連結棒、２５ａ…切欠き部、２７…上端連結棒、２７ａ…嵌合凹部、２９…中間連結棒、３１…縦連結棒、３１ａ…嵌合溝、３３Ａ，３３Ｂ…ドア、３４…引違い扉、３４Ａ…片引き扉、３５…補充壁部材、３６…小壁面板、３７…遮音板材、３８…下端連結棒、３９…上端連結棒、３９ａ…嵌合凹部、４３…縦連結棒、４３ａ…嵌合溝、４５，５３，５８，６６…建具枠材、４６，５４，５９，６７…上枠部、４７，５５，６１，６８…左枠部、４８，５６，６２，６９…右枠部、６５，６５Ａ…折戸、７４…下被覆材、７５…上被覆材、Ｗ…外壁、Ｙ…床部、Ｕ…天井部、Ｌ１〜Ｌ５…仕切り線。
【図１】
2014051817.tif 000003
【図２】
2014051817.tif 000004
【図３】
2014051817.tif 000005
【図４】
2014051817.tif 000006
【図５】
2014051817.tif 000007
【図６】
2014051817.tif 000008
【図７】
2014051817.tif 000009
【図８】
2014051817.tif 000010
【図９】
2014051817.tif 000011
【図１０】
2014051817.tif 000012
【図１１】
2014051817.tif 000013
【図１２】
2014051817.tif 000014
【図１３】
2014051817.tif 000015
【図１４】
2014051817.tif 000016
【図１５】
2014051817.tif 000017
【図１６】
2014051817.tif 000018
【図１７】
2014051817.tif 000019
【図１８】
2014051817.tif 000020
【図１９】
2014051817.tif 000021
【図２０】
2014051817.tif 000022
【図２１】
2014051817.tif 000023
【図２２】
2014051817.tif 000024
【図２３】
2014051817.tif 000025
【図２４】
2014051817.tif 000026
【図２５】
2014051817.tif 000027
【図２６】
2014051817.tif 000028